(57)【要約】【課題】  相反する回転力が付与されても噛み合い部分の損傷を防止できる駆動力伝達機構及びこのような駆動伝達機構及びウエビング巻取装置を得る。【解決手段】  本ウエビング巻取装置１０では、モータが駆動した状態で引出方向の過剰な回転力がウオームギヤ８２に作用すると、ウオームギヤ８２はこの回転力に抗しきれずにゴム筒８６を弾性変形させつつ背板１４側にスライドする。このように、ウオームギヤ８２がスライド移動することで、過剰な回転力がウオームギヤ８２の歯に作用することが抑制され、ウオームギヤ８２の歯の破損等の不具合の発生を防止又は効果的に軽減できる。【選択図】    図１
2005231388.tif 000002
【特許請求の範囲】
【請求項１】
伝達ギヤを介して駆動手段を出力ギヤに機械的に連結した状態で、前記駆動手段の駆動力を前記出力ギヤに伝えて前記出力ギヤを回転させる駆動力伝達機構であって、
前記駆動手段に直接又は間接的に係合可能で前記駆動手段からの前記回転力が入力されることで回転する入力部と、
前記出力ギヤに噛合可能に前記入力部の所定位置に設けられ、前記入力部と共に回転する噛合部と、
前記噛合部を前記入力部の前記所定位置で支持すると共に、前記入力部に前記回転力が入力された際の前記噛合部の回転方向とは反対方向の所定の大きさ以上の外力が前記噛合部に入力された際に、前記外力の作用方向に対応した所定方向へ弾性変形して前記入力部に対する前記噛合部の前記所定方向への変位を許容する支持部と、
を含めて前記伝達ギヤを構成した、
ことを特徴とする駆動力伝達機構。
【請求項２】
長尺帯状のウエビングベルトの長手方向基端部がスプールに係止され、駆動手段と前記スプールとの連結状態で前記駆動手段の駆動力が前記スプールに伝えられことで前記スプールが軸周り方向の一方である巻取方向へ回転して前記ウエビングベルトを基端側から巻き取るウエビング巻取装置であって、
前記駆動手段に直接又は間接的に係合可能で前記駆動手段からの前記回転力が入力されることで回転する入力部と、
前記スプールに機械的に連結されて前記スプールに回転力を伝達する出力ギヤに噛合可能に前記入力部の所定位置に設けられ、前記入力部と共に回転する噛合部と、
前記噛合部を前記入力部の前記所定位置で支持すると共に、前記入力部に前記回転力が入力された際の前記噛合部の回転方向とは反対方向の所定の大きさ以上の外力が前記噛合部に入力された際に、前記外力の作用方向に対応した所定方向へ弾性変形して前記入力部に対する前記噛合部の前記所定方向への変位を許容する支持部と、
を含めて構成した伝達ギヤを前記駆動手段と前記出力ギヤとの間に介在させた、
ことを特徴とするウエビング巻取装置。
【請求項３】
引出方向への所定の大きさ以上の回転速度で前記スプールが回転した場合、及び、前記スプールに対して同軸的に相対回転可能に設けられた回転体の回転が規制された場合の少なくとも何れか一方の場合に、前記スプールをロックするロック手段を備える、
ことを特徴とする請求項２に記載のウエビング巻取装置。
【発明の詳細な説明】
【技術分野】
【０００１】
本発明は、モータ等の駆動手段の駆動力を伝達する駆動力伝達機構及び乗員の身体を拘束するウエビングベルトを巻き取って収納するウエビング巻取装置に関する。
【背景技術】
【０００２】
車両に設けられるシートベルト装置は、座席に着座した乗員の身体を拘束するための可撓性を有する長尺帯状のウエビングベルトを収納するためのウエビング巻取装置を備えており、その一例が下記特許文献１に開示されている。以下、特許文献１に開示されたウエビング巻取装置について簡単に説明する。
【０００３】
特許文献１に開示されたウエビング巻取装置はスプールを備えている。スプールにはウエビングベルトの長手方向基端部が係止されており、スプールをその軸周り方向一方である巻取方向に回転させると、ウエビングベルトが基端側からスプールに巻き取られる構造となっている。また、スプールの軸方向一端側にはゼンマイユニットが設けられており、ゼンマイユニットのスプリングの付勢力によってスプールが巻取方向に付勢されている。
【０００４】
また、スプールの軸方向一端側には、遊星ギヤ列が設けられている。遊星ギヤ列は、スプールに一体的に連結されたキャリアギヤを備えている。キャリアギヤの外周部にはラチェットギヤが形成されていると共に、ラチェットギヤの軸方向一方の側に外歯のギヤが一体的に形成されている。
【０００５】
さらに、キャリアギヤにはその軸心周りに３本のリダクションピンが一体的に取り付けられており、各々にプラネタリギヤが回転自在に軸支されている。プラネタリギヤはキャリアギヤの外周側でリング状のインターナルギヤの内歯に噛み合っている。インターナルギヤの外周部にはラチェットギヤが形成されている。
【０００６】
一方、プラネタリギヤはキャリアギヤの中央側でサンギヤに噛み合っている。サンギヤは減速ギヤを介してモータの出力軸に連結されている。減速ギヤとモータとの間にはコネクトギヤが介在している。コネクトギヤの軸部にはレバースプリングの基端部が取り付けられている。レバースプリングの先端部には係止レバーが取り付けられている。
【０００７】
モータが正逆一方に駆動するとモータの駆動力でコネクトギヤが回転して係止レバーがインターナルギヤのラチェットギヤへ接近する方向へ揺動する。係止レバーがインターナルギヤのラチェットギヤへ接近してラチェットギヤに係合するとインターナルギヤの回転が規制される。
【０００８】
この状態で、引き続き正逆一方にモータが駆動すると、コネクトギヤ、減速ギヤを介してサンギヤにモータの回転力が伝わり、サンギヤが回転する。この状態では、インターナルギヤの回転が規制されているため、サンギヤの回転を受けて回転するプラネタリギヤは、リダクションピン周りに自転しつつサンギヤ周りを公転する。このプラネタリギヤの公転によりキャリアギヤが回転し、スプールがウエビングベルトを巻き取る。
【０００９】
これに対して、モータが正逆他方に回転した場合には係止レバーがインターナルギヤのラチェットギヤに係合しないため、インターナルギヤは回転自在となる。したがって、この状態でモータの駆動力でサンギヤが回転し、更に、サンギヤの回転がプラネタリギヤに伝えられても、プラネタリギヤは、回転力をインターナルギヤに伝えてインターナルギヤを回転させ、プラネタリギヤ自体はリダクションピン周りに自転するだけでサンギヤ周りの公転はしない。したがって、この状態では、スプールに回転力が伝わることがない。
【００１０】
すなわち、遊星ギヤ列は、モータとスプールとの間に介在するクラッチを構成している。
【特許文献１】特開２００２−２１１３５５公報
【発明の開示】
【発明が解決しようとする課題】
【００１１】
ところで、特許文献１に開示されたウエビング巻取装置は、モータが駆動して係止レバーがインターナルギヤのラチェットギヤに係合するとインターナルギヤの回転が規制される。このため、この状態でウエビングベルトを引き出そうとしてスプールに引出方向の回転力を付与すると、遊星ギヤ列にはスプールからの回転力と、この回転力に相反するモータからの駆動力の双方が伝わることになる。
【００１２】
したがって、車両急減速状態で乗員の身体が略車両前方側へ慣性移動しようとした場合等、予め想定した大きさ以上の引出方向への回転力がスプールに急激に伝わると、遊星ギヤ列を構成するギヤや、他のギヤが損傷する可能性がある。このため、このようなギヤの機械的強度を高く設定しなくてはならず、重量の増加やコスト高になる等の問題がある。
【００１３】
本発明は、上記事実を考慮して、相反する回転力が付与されても噛み合い部分の損傷を防止できる駆動力伝達機構及びウエビング巻取装置を得ることが目的である。
【課題を解決するための手段】
【００１４】
請求項１に記載の本発明に係る駆動力伝達機構は、伝達ギヤを介して駆動手段を出力ギヤに機械的に連結した状態で、前記駆動手段の駆動力を前記出力ギヤに伝えて前記出力ギヤを回転させる駆動力伝達機構であって、前記駆動手段に直接又は間接的に係合可能で前記駆動手段からの前記回転力が入力されることで回転する入力部と、前記出力ギヤに噛合可能に前記入力部の所定位置に設けられ、前記入力部と共に回転する噛合部と、前記噛合部を前記入力部の前記所定位置で支持すると共に、前記入力部に前記回転力が入力された際の前記噛合部の回転方向とは反対方向の所定の大きさ以上の外力が前記噛合部に入力された際に、前記外力の作用方向に対応した所定方向へ弾性変形して前記入力部に対する前記噛合部の前記所定方向への変位を許容する支持部と、を含めて前記伝達ギヤを構成した、ことを特徴としている。
【００１５】
請求項１に記載の本発明に係る駆動力伝達機構では、駆動手段が駆動して、この駆動力が伝達ギヤを構成する入力部に伝えられると、入力部が回転する。さらに、入力部が回転すると出力ギヤに噛み合う噛合部が入力部と共に回転し、これにより、出力ギヤに駆動手段の駆動力が出力ギヤに伝えられて出力ギヤが回転する。
【００１６】
一方、このように駆動手段の駆動力が噛合部に伝えられている状態で、駆動手段の駆動力が伝えられた際の出力ギヤの回転方向とは反対方向の回転力が出力ギヤに伝えられると、この回転力で出力ギヤに噛み合う噛合部は、出力ギヤとの噛み合い部分にて回転力の作用方向に対応した方向に押圧される。
【００１７】
但し、本発明に係る駆動力伝達機構では、噛合部が支持部によって入力部に対する所定位置で支持されるため、出力ギヤからの押圧力に抗して出力ギヤに対する所定の噛み合い位置にとどまる。
【００１８】
しかしながら、この回転力が所定の大きさ以上であると、出力ギヤからの押圧力が噛合部を介して支持部に付与され、支持部が弾性変形し、この弾性変形により押圧力の作用方向に噛合部が入力部に対して移動する。
【００１９】
また、上記のような出力ギヤへの回転力（駆動手段の駆動力が伝えられた際の出力ギヤの回転方向とは反対方向の回転力）の付与が解除されると、噛合部に対する押圧力の付与が解除され、押圧力の解除により自らの弾性で復元しようとする支持部により噛合部は入力部に対する元の所定位置に戻り、本来の噛み合い位置で出力ギヤに噛み合う。
【００２０】
このように、所定の大きさ以上の出力ギヤからの回転力が噛合部に付与された際に、噛合部が移動することで噛合部の破損等が防止される。このため、噛合部の機械的強度を低く設定できる。これにより、軽量化やコストの軽減が可能となる。
【００２１】
請求項２に記載の本発明に係るウエビング巻取装置は、長尺帯状のウエビングベルトの長手方向基端部がスプールに係止され、駆動手段と前記スプールとの連結状態で前記駆動手段の駆動力が前記スプールに伝えられことで前記スプールが軸周り方向の一方である巻取方向へ回転して前記ウエビングベルトを基端側から巻き取るウエビング巻取装置であって、前記駆動手段に直接又は間接的に係合可能で前記駆動手段からの前記回転力が入力されることで回転する入力部と、前記スプールに機械的に連結されて前記スプールに回転力を伝達する出力ギヤに噛合可能に前記入力部の所定位置に設けられ、前記入力部と共に回転する噛合部と、前記噛合部を前記入力部の前記所定位置で支持すると共に、前記入力部に前記回転力が入力された際の前記噛合部の回転方向とは反対方向の所定の大きさ以上の外力が前記噛合部に入力された際に、前記外力の作用方向に対応した所定方向へ弾性変形して前記入力部に対する前記噛合部の前記所定方向への変位を許容する支持部と、を含めて構成した伝達ギヤを前記駆動手段と前記出力ギヤとの間に介在させた、ことを特徴としている。
【００２２】
請求項２に記載の本発明に係るウエビング巻取装置では、基端側からスプールに巻き取られたウエビングベルトをその先端側へ引っ張ると、ウエビングベルトが引き出されつつウエビングベルトを巻き取る際の回転方向とは反対の引出方向にスプールが回転する。さらに、引き出したウエビングベルトを乗員が身体に装着することでウエビングベルトにより乗員の身体が拘束される。
【００２３】
一方、駆動手段がスプールに連結された状態で駆動手段の駆動力がスプールに伝えられてスプールが巻取方向に回転すると、スプールにウエビングベルトが強制的に巻き取られる。これにより、ウエビングベルトの緩みが除去され、ウエビングベルトによる拘束力が増加する。したがって、車両急減速状態の場合等に駆動手段を駆動させることで、ウエビングベルトで乗員の身体をより一層強力に拘束できる。
【００２４】
また、上記のような車両急減速状態では、略車両前方側へ乗員の身体が慣性移動しようとし、これにより乗員の身体に装着されているウエビングベルトが急激に引っ張られる。このような急激な引張力がウエビングベルトに付与されることでスプールに引出方向への急激な回転力が付与される。この回転力は出力ギヤを介して伝達ギヤの噛合部に伝えられる。この状態では、上記のように駆動手段が作動しており、駆動手段の駆動力が伝達ギヤを構成する入力部を介して噛合部に伝えられている。
【００２５】
この状態では、出力ギヤに噛み合う噛合部は、出力ギヤとの噛み合い部分にてスプールからの回転力の作用方向に対応した方向に押圧される。
【００２６】
但し、本発明に係るウエビング巻取装置では、噛合部が支持部によって入力部に対する所定位置で支持されるため、出力ギヤからの押圧力に抗して出力ギヤに対する所定の噛み合い位置にとどまる。
【００２７】
しかしながら、この回転力が所定の大きさ以上であると、出力ギヤからの押圧力が噛合部を介して支持部に付与され、支持部が弾性変形し、この弾性変形により押圧力の作用方向に噛合部が入力部に対して移動する。
【００２８】
また、上記のような出力ギヤへの回転力（駆動手段の駆動力が伝えられた際の出力ギヤの回転方向とは反対方向の回転力）の付与が解除されると、噛合部に対する押圧力の付与が解除され、押圧力の解除により自らの弾性で復元しようとする支持部により噛合部は入力部に対する元の所定位置に戻り、本来の噛み合い位置で出力ギヤに噛み合う。
【００２９】
このように、所定の大きさ以上の出力ギヤからの回転力が噛合部に付与された際に、噛合部が移動することで噛合部の破損等が防止される。このため、噛合部の機械的強度を低く設定できる。これにより、伝達ギヤ、ひいてはウエビング巻取装置の軽量化やコストの軽減が可能となる。
【００３０】
また、本発明に係るウエビング巻取装置では、上記のようにスプールに付与された引出方向への回転力が所定の大きさ以上であれば、支持部が弾性変形して押圧力の作用方向に噛合部が入力部に対して移動する。したがって、この状態では、伝達ギヤの噛合部は回転しないが、噛合部の変位分だけ出力ギヤは回転する。
【００３１】
ここで、ウエビング巻取装置には、所定の条件下でスプールの回転をロックする機械的なロック機構を備えるものがある。この種のロック機構の作動条件の一態様としては、スプールの引出方向への急激な回転がある。スプールが引出方向に回転すれば、当然、出力ギヤが回転するが、噛合部が変位せずに出力ギヤの回転を規制してしまうと、スプールが回転せず、結果的にロック機構の作動条件を満たさない。
【００３２】
しかしながら、本発明に係るウエビング巻取装置では、上記のように、仮に噛合部を回転させることができなくても、スプールに付与された引出方向への回転力が所定の大きさ以上であれば、支持部を弾性変形させて噛合部を変位させ、この噛合部の変位分だけ出力ギヤが回転できる。このように、出力ギヤの回転、ひいては、スプールの回転が許容されることで、上記のロック機構を確実に作動させることができる。
【００３３】
請求項３に記載の本発明に係るウエビング巻取装置は、請求項２に記載の本発明において、引出方向への所定の大きさ以上の回転速度で前記スプールが回転した場合、及び、前記スプールに対して同軸的に相対回転可能に設けられた回転体の回転が規制された場合の少なくとも何れか一方の場合に、前記スプールをロックするロック手段を備える、ことを特徴としている。
【００３４】
請求項３に記載の本発明に係るウエビング巻取装置では、例えば、上述したように車両急減速状態での乗員の身体の慣性移動で、乗員の身体に装着されているウエビングベルトが急激に引っ張られ、所定の大きさ以上の回転速度でスプールが引出方向に回転した場合、及び、スプールに対して同軸的に相対回転可能に設けられた回転体が、例えば車両急減速状態で回転規制された場合の少なくとも何れか一方の場合には、ロック手段によってスプールがロックされ、これにより、引出方向へのスプールの回転が規制される。
【００３５】
このように、急激なスプールの引出方向への回転が規制されたり、回転体の回転が規制されたりすることで、駆動手段の駆動力に基づく回転方向とは反対の回転力の噛合部への付与が解除される。したがって、本発明に係るウエビング巻取装置では、急激な引出方向へのスプールの回転が開始されたり、回転体の回転が規制されてからロック機構が作動するまでの間だけしか支持部の弾性に抗して噛合部が移動することはない。
【００３６】
このため、急激な引出方向へのスプールの回転が開始されてからロック機構が作動するまでの間に付与される押圧力に抗するだけの機械的強度を噛合部に設定しておけばよい。
【発明の効果】
【００３７】
以上説明したように、本発明によれば、所定の大きさ以上の出力ギヤからの回転力が噛合部に付与された際に、噛合部が移動することで噛合部の破損等を防止できる。これにより、噛合部の機械的強度を低く設定でき、軽量化やコストの軽減が可能となる。
【発明を実施するための最良の形態】
【００３８】
＜本実施の形態の構成＞
図３には、本発明の一実施の形態に係るウエビング巻取装置１０（本発明の一実施の形態に係る駆動力伝達機構を適用したウエビング巻取装置１０）の全体構成の概略が正面断面図によって示されている。
【００３９】
この図に示されるように、ウエビング巻取装置１０はフレーム１２を備えている。フレーム１２は略板状の背板１４を備えており、この背板１４がボルト等の図示しない締結手段によって車体に固定されることで、本ウエビング巻取装置１０が車体に取り付けられる構成となっている。背板１４の幅方向両端からは一対の脚板１６、１８が互いに平行に延出されており、これらの脚板１６、１８間にダイカスト等によって製作された巻取軸としてのスプール２０が回転可能に配置されている。
【００４０】
スプール２０は略円筒形状のスプール本体２２と、このスプール本体２２の両端部に略円板形状にそれぞれ形成された一対のフランジ部２４、２６とによって構成されており、全体としては鼓形状をなしている。
【００４１】
スプール本体２２はフランジ部２４、２６間には、長尺帯状に形成されたウエビングベルト２８の基端部が固定されており、スプール２０をその軸周り一方へ回転させると、ウエビングベルト２８がその基端側からスプール本体２２の外周部に層状に巻き取られる。また、ウエビングベルト２８をその先端側から引っ張れば、スプール本体２２の外周部に巻き取られたウエビングベルト２８が引き出され、これに伴い、ウエビングベルト２８を巻き取る際の回転方向（以下、この方向を便宜上「巻取方向」と称する）とは反対にスプール２０が回転する（以下、ウエビングベルト２８を引き出す際のスプール２０の回転方向を便宜上「引出方向」と称する）。
【００４２】
フランジ部２４のフランジ部２６とは反対側でスプール２０の一端側は、脚板１６に形成された円孔３０を略同軸的に貫通してフレーム１２の外部に突出している。脚板１６側のフレーム１２の外側には、ケース３２が配置されている。ケース３２は、スプール２０の軸方向に沿って脚板１６と対向して配置されて脚板１６に固定されている。また、ケース３２は全体的に脚板１６側へ向けて開口しており、円孔３０を貫通したスプール２０の一端側はケース３２の内側に入り込み、ケース３２によって回転自在に軸支されている。
【００４３】
さらに、ケース３２の内部には渦巻きばね３４が配置されている。渦巻きばね３４は渦巻き方向外側の端部がケース３２に係止されており、渦巻き方向内側の端部がスプール２０に係止されている。渦巻きばね３４は特別に負荷をかけない中立状態からスプール２０を引出方向へ回転させると、巻取方向の付勢力が生じてスプール２０を巻取方向へ付勢する。したがって、基本的には、スプール２０から引き出すためにウエビングベルト２８に付与した引っ張り力を解除すると、渦巻きばね３４の付勢力がスプール２０を巻取方向へ回転させ、スプール２０にウエビングベルト２８を巻き取らせる構造になっている。
【００４４】
一方、フランジ部２６のフランジ部２４とは反対側でスプール２０の他端側は、脚板１８に形成された内歯のラチェット孔３６を略同軸的に貫通してフレーム１２の外部に突出している。脚板１８側のフレーム１２の外側には、ロック手段としてのロック機構３８が配置されている。ロック機構３８はケース４０を備えている。ケース４０はスプール２０の軸方向に沿って脚板１８と対向して配置されて脚板１８に固定されている。
【００４５】
ケース４０の内側には、ロック機構３８を構成する回転体としてのラチェットギヤ４２がスプール２０に対して同軸的で且つ相対回転可能に収容されている。ラチェットギヤ４２は、軸方向脚板１８とは反対側が開口した浅底円筒状とされており、その外周部にはラチェット歯が形成されている。
【００４６】
ラチェットギヤ４２の内側には、ロックベース４４が収容されている。ロックベース４４はスプール２０に対して同軸的で且つ一体的に設けられており、したがって、スプール２０の回転によりスプール２０と一体的に回転する。ロックベース４４には図示しない圧縮コイルスプリング等の付勢手段が設けられている。
【００４７】
この付勢手段は、一部が上述したラチェットギヤ４２に係合しており、ロックベース４４が回転すると、ロックベース４４と共に回転して、その回転方向に沿った付勢力をラチェットギヤ４２に付与する。このため、ラチェットギヤ４２は、本来スプール２０に対して相対回転可能であるが、スプール２０と一体にロックベース４４が回転することで付勢手段から付与される付勢力により、ラチェットギヤ４２がスプール２０の回転に追従して回転する構成となっている。
【００４８】
一方、上述したラチェット孔３６の内側では、ロックベース４４にロックプレート４６が支持されている。ロックプレート４６は、ロックベース４４に支持された状態でラチェット孔３６の内歯に対し接離移動可能とされている。また、ロックプレート４６は、上述したラチェットギヤ４２に係合しており、ラチェットギヤ４２がロックベース４４に対して上述した巻取方向へ相対回転した場合に、この回転に連動してラチェット孔３６の内歯に接近してラチェット孔３６の内歯に噛み合う構成となっている。
【００４９】
また、ラチェットギヤ４２の半径方向下方には、センサフレーム４８が配置されている。センサフレーム４８は、所定の曲率で湾曲して上方へ向けて開口した図示しない載置部を有しており、この載置部にセンサボール５０が載置されている。さらに、センサボール５０の上方には係合板５２が設けられている。係合板５２は、上下に回動可能にセンサフレーム４８に取り付けられており、センサボール５０が上述した載置部上を転動して上方へ変位した際には、センサボール５０に下側から押圧されて上方へ回動する。
【００５０】
また、係合板５２には係合爪５４が形成されている。係合爪５４は、その先端がラチェットギヤ４２のラチェット歯に対向しており、係合板５２が上方へ回動すると係合爪５４がラチェットギヤ４２のラチェット歯に噛み合い、ラチェットギヤ４２の回転を規制する構成となっている。
【００５１】
一方、スプール２０の下方で脚板１６と脚板１８との間には、駆動手段としてのモータ６０が配置されている。図４に示されるように、モータ６０の出力軸６２は、背板１４を貫通して背板１４のモータ６０とは反対側でフレーム１２に取り付けられたギヤボックス６４内に入り込んでいる。
【００５２】
図４及び図５に示されるように、ギヤボックス６４内には減速手段を構成するギヤ列６６が収容されている。ギヤ列６６は、外歯の平歯車により構成されたギヤ６８を備えている。ギヤ６８には上記の出力軸６２が同軸的且つ一体的に連結されている。ギヤ６８にはギヤ６８よりも大径の外歯の平歯車により構成されたギヤ７０が噛み合っている。ギヤ７０は軸部７２がギヤボックス６４に回転自在に軸支されている。
【００５３】
さらに、ギヤ７０はギヤ７０よりも大径の外歯の平歯車により構成されたギヤ７４に噛み合っている。ギヤ７４は一方の軸部７６がギヤボックス６４に回転自在に軸支されており、図４に示されるように、入力部として伝達ギヤを構成する他方の軸部７８がギヤボックス６４及び背板１４を貫通して脚板１６、１８の間に入り込んでいる。
【００５４】
また、図１、図２、図４の各図に示されるように、軸部７８の先端側（脚板１６、１８の間の側）には、略直方体状の矩形片８０が形成されている。矩形片８０は、当然、断面が略矩形状に形成されており、その長手方向寸法は軸部７２の外径寸法以上とされている。
【００５５】
この矩形片８０が形成された部分には、噛合部として伝達ギヤを構成するウオームギヤ８２が軸部７８に対して同軸的に設けられている。ウオームギヤ８２の軸心部には、矩形片８０の断面形状と略同形状の矩形孔８４が形成されており、矩形片８０が矩形孔８４を貫通している。
【００５６】
上記のように、矩形片８０及び矩形孔８４の双方は、断面略矩形状であるため、お互いの相対回転が規制される。このため、ウオームギヤ８２は、軸部７８の軸周り方向に関しては同軸的且つ一体的に回転する。しかしながら、矩形片８０は直方体形状であるため、矩形片８０が矩形孔８４を貫通したウオームギヤ８２は、その軸方向に沿って矩形片８０、すなわち、軸部７８に対してスライド可能である。
【００５７】
なお、本実施の形態では、矩形片８０を軸部７８に設け、この矩形片８０に対応した矩形孔８４をウオームギヤ８２に形成したが、軸部７８の周方向には軸部７８とウオームギヤ８２とを一体的に連結し、軸部７８の軸方向には軸部７８に対してウオームギヤ８２をスライド自在にできる構成であれば、軸部７８とウオームギヤ８２との具体的な連結の構造に関して特に限定されるものではない。
【００５８】
さらに、ウオームギヤ８２と背板１４との間には、支持部として伝達ギヤを構成するゴム筒８６が配置されている。ゴム筒８６はゴム材により円筒形状に形成されており、その内径寸法は軸部７８の外径寸法よりも極僅かに大きく、その内側を軸部７８が貫通している。また、ゴム筒８６の軸方向一端部は背板１４に当接しており、他端部はウオームギヤ８２の軸方向一端に当接している。
【００５９】
さらに、図３に示されるように、ウオームギヤ８２の半径方向上側側方には、クラッチ９０が設けられている。クラッチ９０は、リング状に形成された出力ギヤとしてのウオームホイール９２を備えている。ウオームホイール９２はスプール２０に対して同軸的で且つ相対回転可能に設けられており、その軸方向両端は図示しない円板状部材により閉止されている。また、ウオームホイール９２の内側には、筒状のアダプタ９４がスプール２０に対して同軸的に設けられている。アダプタ９４は、スプール２０に同軸的且つ一体的に設けられていると共に、ウオームホイール９２の両端を閉止する円板状部材を貫通した状態で、円板状部材、ひいてはウオームホイール９２をスプール２０周りに回転可能に軸支している。
【００６０】
ウオームホイール９２の内側には、例えば、遠心力で揺動するパウル等の連結部材が収容されている。連結部材は、例えば、上記の円板状部材に支持されており、ウオームホイール９２と共に回転可能であると共に、遠心力で揺動することで、アダプタ９４の外周部に係合してウオームホイール９２とアダプタ９４とを機械的に連結し、ウオームホイール９２の回転力をアダプタ９４、ひいてはスプール２０に伝えることができる構造となっている。
【００６１】
すなわち、上記のクラッチ９０は、ウオームホイール９２側（モータ６０の出力軸６２側）の回転をスプール２０に伝えることはできるが、スプール２０の回転をウオームホイール９２へ伝えることはできない構造となっている。
【００６２】
一方、図３に示されるように、上述したモータ６０は、制御手段を構成するドライバ９６を介して車両に搭載されたバッテリー９８に電気的に接続されており、バッテリー９８からの電流がドライバ９６を介してモータ６０に流れることで、モータ６０は出力軸６２を正方向又は逆方向へ回転させる構成となっている。ドライバ９６は、マイコン等で構成されて制御手段を構成するＥＣＵ１００に接続されており、更に、ＥＣＵ１００は前方監視手段としての前方監視装置１０２に接続されている。
【００６３】
前方監視装置１０２は、車両前端部近傍に設けられた赤外線センサ１０４を備えている。赤外線センサ１０４は赤外線を車両前方に発すると共に、車両の前方で走行若しくは停止している他の車両や障害物（以下、走行若しくは停止している他の車両も含めて便宜上「障害物」と称する）で反射した赤外線センサ１０４を受ける。前方監視装置１０２は演算部１０６を備えている。
【００６４】
演算部１０６は赤外線センサ１０４から赤外線が発せられてから、障害物で反射して赤外線センサ１０４に戻るまでに要する時間に基づき障害物までの距離を演算する。また、演算部１０６は、この演算結果に基づき障害物検出信号ＯｓをＥＣＵ１００に対して出力する。この障害物検出信号Ｏｓは、障害物までの距離が所定値以上であればＬｏｗレベルとされ、障害物までの距離が所定値未満であればＨｉｇｈレベルとされる。
【００６５】
また、ＥＣＵ１００は、車両の適宜位置に設けられた加速度検出手段として急減速状態検知手段を構成する加速度センサ１０８に接続されている。加速度センサ１０８は、車両が減速する際の加速度（言わば、減速度）を検出する。また、加速度センサ１０８は、基本的にＬｏｗレベルの加速度検出信号ＢｓをＥＣＵ１００に対して出力するが、所定の変化率の加速度、すなわち、急制動時等による車両急減速状態に対応した加速度を検出した場合には、Ｈｉｇｈレベルの加速度検出信号ＢｓをＥＣＵ１００に対して出力する。
【００６６】
＜本実施の形態の作用、効果＞
次に、本ウエビング巻取装置１０の動作の説明を通して、本実施の形態の作用並びに効果について説明する。
【００６７】
先ず、本ウエビング巻取装置１０の基本動作について説明する。
【００６８】
本ウエビング巻取装置１０では、スプール２０にウエビングベルト２８が層状に巻き取られた収納状態で、図示しないタングプレートを引っ張りつつウエビングベルト２８を引っ張ると、スプール２０を巻取方向に付勢する渦巻きばね３４の付勢力に抗してスプール２０を引出方向へ回転させながらウエビングベルト２８が引き出される。このように、ウエビングベルト２８が引き出された状態で、ウエビングベルト２８を座席に着座した乗員の身体の前方に掛け回しつつタングプレートを図示しないバックル装置に差し込み、バックル装置にタングプレートを保持させることで乗員の身体に対するウエビングベルト２８の装着状態（以下、単に「装着状態」と称する）となる。
【００６９】
また、ウエビングベルト２８を装着するためにウエビングベルト２８を引き出してスプール２０を引出方向へ回転させると、渦巻きばね３４が巻き締められてスプール２０を巻取方向側へ付勢する渦巻きばね３４の付勢力が増加する。したがって、上記装着状態では、渦巻きばね３４の付勢力がウエビングベルト２８をスプール２０に巻き取らせるように作用するため、基本的には、この付勢力で乗員の身体にウエビングベルト２８がフィットし、このときの付勢力に応じた力でウエビングベルト２８が乗員の身体を拘束、保持する。
【００７０】
一方、バックル装置によるタングプレートの保持が解除され、バックル装置からタングプレートが抜け出ると、渦巻きばね３４の付勢力に抗して引出状態のままウエビングベルト２８を維持する力が解除されるため、渦巻きばね３４は付勢力でスプール２０を巻取方向に回転させる。この巻取方向へのスプール２０の回転により引き出されたウエビングベルト２８がスプール２０の外周部に層状に巻き取られ、これにより、ウエビングベルト２８が収納される。
【００７１】
ここで、スプール２０はクラッチ９０のアダプタ９４に嵌合しているため、ウエビングベルト２８の引き出しや巻き取りのためにスプール２０を回転させると、アダプタ９４が回転する。しかしながら、上述したように、クラッチ９０は、アダプタ９４の回転をウオームホイール９２に伝えないため、この状態でウオームホイール９２が回転することはない。したがって、スプール２０の回転がウオームホイール９２、ウオームギヤ８２、ギヤ７４、７０、６８を介してモータ６０の出力軸６２に伝達されることはない。
【００７２】
一方、車両の走行状態では、前方監視装置１０２の赤外線センサ１０４での検出結果に基づき、演算部１０６が車両前方の障害物までの距離を演算している。例えば、車両前方に障害物が存在しない場合、若しくは、障害物が存在するものの障害物から車両までの距離が所定値以上であれば、演算部１０６からはＬｏｗレベルの信号Ｏｓが出力される
これに対して、車両から前方の障害物までの距離が所定値未満になると、演算部１０６からはＨｉｇｈレベルの信号Ｏｓが出力される。
【００７３】
演算部１０６からのＨｉｇｈレベルの信号ＯｓがＥＣＵ１００に入力されると、ＥＣＵ１００はドライバ９６に対して所定の操作信号を出力する。この状態での操作信号が入力されたドライバ９６は、モータ６０を通電状態にして、モータ６０を駆動させる。モータ６０が駆動して出力軸６２が回転することで、出力軸６２の回転が、ギヤ６８〜７４を介してウオームギヤ８２に伝わり、更に、ウオームギヤ８２の回転は、ウオームホイール９２に伝わりウオームホイール９２が回転する。
【００７４】
さらに、ウオームホイール９２が回転することで、連結部材がウオームホイール９２とアダプタ９４とを機械的に連結し、これにより、アダプタ９４が巻取方向に回転する。アダプタ９４が巻取方向に回転することでアダプタ９４と一体のスプール２０が巻取方向に回転してウエビングベルト２８を巻き取る。このように、ウエビングベルト２８がスプール２０に巻き取られることで、ウエビングベルト２８の僅かな弛みである所謂「スラック」が除去され、ウエビングベルト２８による拘束力が上昇する。
【００７５】
ここで、このような状態で、車両の乗員が急制動操作を行ない、これにより、乗員の身体が略車両前方側へ慣性移動しようとすると、乗員の身体に装着されているウエビングベルト２８が乗員の身体により引っ張られる。
【００７６】
通常であれば、上述したように、ウエビングベルト２８が引っ張られてスプール２０が引出方向に回転しても、この回転力がウオームホイール９２に伝えられることがない。しかしながら、この場合には、上記のように、モータ６０が駆動することで連結部材がウオームホイール９２とアダプタ９４とを機械的に連結している。したがって、この状態では、モータ６０の駆動力による回転方向とは反対方向、すなわち、引出方向の回転力がウオームホイール９２に伝わり、強制的にウオームホイール９２を引出方向に回転させる。
【００７７】
上記のようにモータ６０の駆動力が伝えられて回転するウオームギヤ８２は、ウオームホイール９２を巻取方向に回転させるように回転力をウオームホイール９２に伝えるため、ウオームギヤ８２の歯にはモータ６０の駆動力の基づく回転力と、この回転力に反抗するウオームホイール９２からの回転力とが作用する。
【００７８】
ここで、図１の（Ａ）及び（Ｂ）に示されるような、予め想定した大きさ以上の引出方向の回転力がウオームギヤ８２に作用すると、ウオームギヤ８２はこの回転力に抗しきれずにゴム筒８６を弾性変形させつつ背板１４側にスライドする。このように、ウオームギヤ８２がスライド移動することで、予め想定した大きさ以上の引出方向の回転力がウオームギヤ８２の歯に作用することが抑制され、ウオームギヤ８２の歯の破損等の不具合の発生を防止又は効果的に軽減できる。
【００７９】
また、このように、予め想定した大きさ以上の引出方向の回転力がウオームギヤ８２に作用することを防止できるため、ウオームギヤ８２の機械的強度をこれまでよりも低く設定でき、ウオームギヤ８２の軽量化を図ることができ、コストを安価にできる。
【００８０】
さらに、車両急減速時の車両乗員の慣性移動により、ウエビングベルト２８が引っ張られてスプール２０が急激に引出方向に回転し、ロックベース４４が急激に引出方向に回転すると、ロックベース４４の引出方向への回転にラチェットギヤ４２が追従できず、これによって、ロックベース４４とラチェットギヤ４２との間に相対回転が生じる。
【００８１】
また、上記のように車両が急減速状態になると、センサフレーム４８の載置部上のセンサボール５０が車両急減速状態での慣性で載置部上を転動する。載置部上を転動したセンサボール５０は、上方の係合板５２を押し上げて係合板５２を回動させる。このように係合板５２が回動することで、係合板５２に形成された係合爪５４がラチェットギヤ４２のラチェット歯に噛み合う。これによって、ラチェットギヤ４２の回転が規制される。
【００８２】
このようなラチェットギヤ４２の回転規制状態で、ウエビングベルト２８が引っ張られてスプール２０が引出方向に回転し、ロックベース４４が引出方向に回転すると、ロックベース４４と回転規制されているラチェットギヤ４２との間に相対回転が生じる。
【００８３】
このように、ロックベース４４とラチェットギヤ４２との間に相対回転が生じると、ロックベース４４に支持されたロックプレート４６がラチェット孔３６の内歯へ接近する方向へ移動して、ラチェット孔３６の内歯にロックプレート４６が噛み合う。
【００８４】
このように、ロックプレート４６がラチェット孔３６の内歯に噛み合うことで、ロックベース４４、ひいてはスプール２０がロックされ、引出方向へのスプール２０の回転が規制される。このように引出方向へのスプール２０の回転が規制ことで、ウオームホイール９２の引出方向への回転もロックされるため、ウオームギヤ８２に引出方向の回転力が付与されることがなく、この状態以降はウオームギヤ８２が背板１４側にスライドさせられることがない。
【００８５】
また、上記のように、スプール２０がロックされるためにはロックベース４４とラチェットギヤ４２との間に相対回転を生じさせなくてはならない。しかしながら、仮に、ウオームギヤ８２がウオームホイール９２の回転を規制してしまうと、スプール２０が引出方向に回転できず、結果的に、ロックベース４４とラチェットギヤ４２との間に相対回転を生じさせることができない。
【００８６】
ここで、本ウエビング巻取装置１０では、上記のように、予め想定した大きさ以上の引出方向の回転力がウオームホイール９２からウオームギヤ８２に付与されると、ウオームギヤ８２は回転できなくともゴム筒８６を弾性変形させつつ背板１４側にスライドする。この状態では、ウオームギヤ８２のスライド量分だけウオームホイール９２は回転する。
【００８７】
すなわち、本ウエビング巻取装置１０では、予め想定した大きさ以上の引出方向の回転力がスプール２０に付与された場合には、上記のウオームギヤ８２のスライド量分だけウオームホイール９２の回転が許容される。このように、ウオームホイール９２の回転が許容されることで、スプール２０は引出方向に回転でき、これにより、ロックベース４４とラチェットギヤ４２との間に相対回転を生じさせることができ、確実にスプール２０をロックさせることができる。
【００８８】
さらに、この状態からモータ６０が停止して、巻取方向への回転力がウオームホイール９２に付与されなくなると、ウオームホイール９２とアダプタ９４との機械的な連結が解除される。この状態になると、ウオームギヤ８２はゴム筒８６の弾性により背板１４から離間する方向へスライドしつつ回転して、図１の（Ａ）に示されるように元の位置に戻る。
【００８９】
なお、本実施の形態では、上記のように、入力部、噛合部、及び支持部を軸部７８、ウオームギヤ８２、及びゴム筒８６とした構成であったが、入力部、噛合部、及び支持部の構成がこのような軸部７８、ウオームギヤ８２、ゴム筒８６に限定されるものではない。例えば、図６に示されるように、二段ギヤ１２０を本発明における伝達ギヤとしてもよい。
【００９０】
すなわち、図６に示される変形例の二段ギヤ１２０は、入力部としてのギヤ１２２を備えている。このギヤ１２２は、全体的に有底の円筒形状とされており、その外周部に外歯の平歯が形成されている。
【００９１】
また、二段ギヤ１２０は、噛合部としての外歯のギヤ１２４を備えている。ギヤ１２４はギヤ１２２よりも小径で歯数も少ない。また、ギヤ１２４の軸方向一端からは軸部１２６がギヤ１２４に対して同軸的且つ一体的に延出されている。
【００９２】
軸部１２６の外径寸法は、ギヤ１２２の内径寸法よりも充分に小さく、ギヤ１２２の内周部との間に隙間を介した状態で軸部１２６はギヤ１２２に対して同軸的にギヤ１２２の内側に入り込んでいる。
【００９３】
さらに、ギヤ１２２の内側には支持部としての充填部１２６が充填されている。充填部１２６はゴム材等と同程度の弾性を有しており、ギヤ１２２の内周部及び軸部１２６の外周部に一体的に密着している。
【００９４】
以上のような構造の二段ギヤ１２０は、基本的にギヤ１２２とギヤ１２４とが一体的に連結されており、ギヤ１２２に回転力が入力されてギヤ１２２が回転すると、ギヤ１２４が回転し、ギヤ１２４に噛み合う他のギヤが回転する。また、ギヤ１２２から伝えられた回転力がギヤ１２４に付与されている状態で、ギヤ１２４に噛み合う他のギヤから反対向きの過剰な回転力が急激に付与されると、図７の（Ａ）、（Ｂ）に示されるように、ギヤ１２４はこの反対向きの回転力に抗しきれずに充填部１２６を弾性変形させつつ反対向きの回転力に応じた方向に適宜に変位する。
【００９５】
このように、ギヤ１２４が充填部１２６を弾性変形させつつ適宜に変位させることで、ギヤ１２４の破損等を防止でき、基本的に先の説明と同様の効果を得ることができる。
【図面の簡単な説明】
【００９６】
【図１】本発明の一実施の形態に係るウエビング巻取装置（本発明の一実施の形態に係る駆動力伝達機構）の要部を示す側面図で、（Ａ）は通常の状態、（Ｂ）は噛合部が移動した状態を示す図である。
【図２】本発明の一実施の形態に係るウエビング巻取装置（本発明の一実施の形態に係る駆動力伝達機構）の要部を示す分解斜視図である。
【図３】本発明の一実施の形態に係るウエビング巻取装置（本発明の一実施の形態に係る駆動力伝達機構を適用したウエビング巻取装置）の全体構成を示す正面図である。
【図４】本発明の一実施の形態に係るウエビング巻取装置（本発明の一実施の形態に係る駆動力伝達機構）の要部を示す平面断面図である。
【図５】本発明の一実施の形態に係るウエビング巻取装置の減速手段の構成を示す背面図である。
【図６】伝達ギヤの変形例を示す分解斜視図である。
【図７】伝達ギヤの変形例を示す側面図で、（Ａ）は通常の状態、（Ｂ）は噛合部が移動した状態を示す図である。
【符号の説明】
【００９７】
１０    ウエビング巻取装置
２０    スプール
２８    ウエビングベルト
６０    モータ（駆動手段）
７８    軸部（入力部、伝達ギヤ）
８２    ウオームギヤ（噛合部、伝達ギヤ）
８６    ゴム筒（支持部、伝達ギヤ）
９２    ウオームホイール（出力ギヤ）
１２０    二段ギヤ（伝達ギヤ）
１２２    ギヤ（入力部）
１２４    ギヤ（噛合部）
１２８    充填部（支持部）
【図１】
2005231388.tif 000003
【図２】
2005231388.tif 000004
【図３】
2005231388.tif 000005
【図４】
2005231388.tif 000006
【図５】
2005231388.tif 000007
【図６】
2005231388.tif 000008
【図７】
2005231388.tif 000009